【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
フィールドにおける場所から採取された土壌の属性を測定する方法であって、
フィールドにおける前記場所から採取された土壌に由来する土壌サブサンプルを受け取るステップ、
水を土壌サブサンプルと混合し、それにより、土壌−水混合物を形成するステップ、
土壌−水混合物から、土壌−水混合物を代表する土壌−水サブサンプルを選択するステップ、
土壌−水サブサンプルを分析するステップ、および、
土壌−水サブサンプルの分析に基づいて、土壌の属性を決定するステップ、
を含むことを特徴とする方法。
【請求項２】
第１の場所で、フィールドサンプルを得るステップ、
フィールドサンプルに関する特性データを得るステップ、および、
フィールドサンプルを第２の場所に送付し、そこで、フィールドサンプルに基づいて土壌の属性が決定されるステップ、
を含むことを特徴とする請求項１に記載の方法。
【請求項３】
特性データは、フィールドサンプルが得られた場所、フィールドサンプルに責任を有する所有情報、サンプルが得られた時間、サンプルが得られた日付、およびフィールドサンプルの同定のうちの少なくとも１つを含むことを特徴とする請求項２に記載の方法。
【請求項４】
フィールドサンプルを受け取るステップ、および、
フィールドサンプルから、フィールドサンプルを代表する土壌サブサンプルを選択するステップ、
を含むことを特徴とする請求項１に記載の方法。
【請求項５】
フィールドサンプルに対して粗濾過を行うステップ、および、
粗濾過がフィールドサンプルをふるいに通すサブステップ、
を含むことを特徴とする請求項４に記載の方法。
【請求項６】
土壌−水サブサンプルに抽出剤を添加するステップを含むことを特徴とする請求項１に記載の方法。
【請求項７】
測定前に、土壌−水サブサンプルに対して精密濾過を行うステップ、および、
精密濾過は、土壌−水サブサンプルを濾紙に通すか、土壌−水サンプルを遠心分離するかのサブステップ、
を含むことを特徴とする請求項１に記載の方法。
【請求項８】
土壌サブサンプルは、１００グラムから１キログラムまでの重量（１００グラムと１キログラムを含む）を有することを特徴とする請求項１に記載の方法。
【請求項９】
土壌サブサンプルの含水量を測定するステップを含み、
水を土壌サブサンプルと混合するステップは、所定の希釈率が実現されるように十分な水を土壌サブサンプルと混合するサブステップを含む、
ことを特徴とする請求項１に記載の方法。
【請求項１０】
希釈率は、水１部対土壌サブサンプル２部〜水５部対土壌サブサンプル１部までであることを特徴とする請求項９に記載の方法。
【請求項１１】
土壌サブサンプルを受け取る時間から属性を決定する時間までは、３時間未満であることを特徴とする請求項１に記載の方法。
【請求項１２】
フィールドにおける場所から採取された土壌の属性を測定する方法であって、
フィールドにおける前記場所から採取された土壌に由来する土壌サブサンプルを受け取るステップ、
水をフィールドサブサンプルと混合し、それにより土壌−水混合物を作るステップ、
土壌−水混合物から第２の土壌−水サブサンプルを選択し、第２の土壌−水サブサンプルを、試験ウェル装置に移すステップ、および、
第２の土壌−水サブサンプルの分析に基づいてその場所の土壌の第２の属性を決定するために、遠隔地に試験ウェル装置を送るステップ、
を含むことを特徴とする方法。
【請求項１３】
土壌−水混合物から第１の土壌−水サブサンプルを選択するステップ、
第１の土壌−水サブサンプルを分析するステップ、および、
土壌の第１の属性を、第１の土壌−水サンプルの分析に基づいて決定するステップ、
を含むことを特徴とする請求項１２に記載の方法。
【請求項１４】
土壌−水混合物に抽出剤を添加するステップを含むことを特徴とする請求項１３に記載の方法。
【請求項１５】
土壌サブサンプルを受け取る時間から第１の属性を決定する時間までは、３時間未満であることを特徴とする請求項１３に記載の方法。
【請求項１６】
土壌のフィールドサンプルを受け取るステップ、および、
フィールドサンプルからフィールドサンプルを代表する土壌サブサンプルを選択するステップ、
を含むことを特徴とする請求項１２に記載の方法。
【請求項１７】
フィールドサンプルに対して粗濾過を行うステップを含み、
粗濾過は、フィールドサンプルをふるいに通すサブステップを含む、
ことを特徴とする請求項１６に記載の方法。
【請求項１８】
フィールドサンプルに関する特性データを得るステップを含むことを特徴とする請求項１６に記載の方法。
【請求項１９】
特性データは、フィールドサンプルが得られた場所、フィールドサンプルに責任を有する所有情報、サンプルが得られた時間、サンプルが得られた日付、およびフィールドサンプルの同定のうちの少なくとも１つを含むことを特徴とする請求項１８に記載の方法。
【請求項２０】
土壌サブサンプルの含水量を測定するステップを含み、
水を土壌サブサンプルと混合するステップは、所定の希釈率が実現されるように十分な水を土壌サブサンプルと混合するサブステップを含む、
ことを特徴とする請求項１２に記載の方法。
【請求項２１】
希釈率は、水１部対土壌サブサンプル２部から水５部対土壌サブサンプル１部まで（両端を含む）であることを特徴とする請求項１２に記載の方法。
【請求項２２】
土壌サブサンプルは、１００グラムから１キログラムまでの重量（１００グラムと１キログラムを含む）を有することを特徴とする請求項１２に記載の方法。
【請求項２３】
フィールドの複数の場所から採取された土壌の属性を測定する方法であって、
複数の土壌−水サブサンプルを含有する試験ウェル装置を受け取るステップであって、
各サブサンプルはフィールドにおける場所から採取された土壌に由来するステップ、
土壌−水サブサンプルを混合して、土壌−水サブサンプルの内容物を再懸濁させるステップ、
測定するために、土壌−水サブサンプルの一部を移すステップ、
抽出剤を土壌−水サブサンプルと混合するステップ、
土壌−水サブサンプルを分析するステップ、および
前記場所から採取された土壌の属性を、土壌−水サブサンプルの分析に基づいて決定するステップ、
を含むことを特徴とする方法。
【請求項２４】
所定の希釈率が実現されるように、水を土壌−水サブサンプルと混合するステップを含むことを特徴とする請求項２３に記載の方法。
【請求項２５】
フィールドの複数の場所から採取された土壌の属性を測定する方法であって、
複数の土壌−水サブサンプルを含有する試験ウェル装置を受け取るステップであって、各サブサンプルはフィールドの少なくとも２つの場所から採取された土壌に由来するステップ、
少なくとも２つの土壌−水サブサンプルに対して、
抽出剤を土壌−水サブサンプルと混合するステップ、
土壌−水サブサンプルを分析するステップ、および、
前記場所から採取された土壌の属性を、土壌−水サブサンプルの分析に基づいて決定するステップ、
を含むことを特徴とする方法。
【請求項２６】
所定の希釈率が実現されるように、水を土壌−水サブサンプルと混合するステップを含むことを特徴とする請求項２５に記載の方法。
【請求項２７】
土壌−水サブサンプルに対して精密濾過を行うステップを含み、
精密濾過は、土壌−水サブサンプルを濾紙に通すか、土壌−水サブサンプルを遠心分離するかのサブステップを含むことを特徴とする請求項２５に記載の方法。
【請求項２８】
フィールドにおける場所から採取された土壌の属性を測定するための、および、後の測定のために複数の土壌−水サブサンプルを調製するための装置であって、
フィールドにおける前記場所から採取された土壌に由来する土壌サブサンプルを受け取るための、さらに、土壌サブサンプルを所定の体積の水と混合して土壌−水混合物を生成するための混合用チャンバー、および、
土壌−水混合物から第２の土壌−水サブサンプルを選択するための、混合物用チャンバーに接続された第２の計量装置、
を備えることを特徴とする装置。
【請求項２９】
土壌−水混合物から第１の土壌−水混合物を選択するための、混合用チャンバーに接続された第１の計量装置、および、
第１の土壌−水サブサンプルを受け取り、前記場所から採取された土壌の属性を、第１の土壌−水サブサンプルを分析することによって決定するための、第１の計量装置に接続された測定チャンバー、
を備えることを特徴とする請求項２８に記載の装置。
【請求項３０】
複数のウェルを備える取り外し可能な試験ウェル装置を備え、
試験ウェル装置のウェルは、第２の土壌水サブサンプルを受ける、
ことを特徴とする請求項２８に記載の装置。
【請求項３１】
フィールドサンプルの第２の属性を、溶液を測定することによって決定するための電極プローブを備えることを特徴とする請求項２８に記載の装置。
【請求項３２】
土壌サブサンプル計量装置を備えることを特徴とする請求項２８に記載の装置。
【請求項３３】
ｐＨ緩衝液を含有するｐＨ緩衝ウェルを備え、
ｐＨ緩衝ウェルは、ｐＨ緩衝液を第２の土壌−水サブサンプルと混合するように構成されている、
ことを特徴とする請求項２８に記載の装置。
【請求項３４】
自動化されたフィールド土壌採取装置を備えることを特徴とする請求項２８に記載の装置。